(57)【要約】【課題】キャッピング時にスリット部やブリッジ部の損傷を回避もしくは抑制することのできるボトル型缶を提供する。【解決手段】凸ビード部８は、最大外径部８ａと、上側傾斜面８ｂと、下側傾斜面８ｃとを有するとともに、上側傾斜面８ｂの傾斜角度θuが下側傾斜面８ｃの傾斜角度θlより小さくなっており、雄ネジ部７は、凸ビード部８側の端部に溝深さが雄ネジ部７の平均溝深さｈより浅くかつ少なくとも一部が上側傾斜面８ｂに相当する位置に形成されている不完全ネジ部７ａを有し、不完全ネジ部７ａのネジ溝における凸ビード部８側の下側溝側壁７a1の角度θgが上側傾斜面８ｂの傾斜角度θuより大きくなっていて下側溝側壁７a1と上側傾斜面８ｂとの間に口首部４の半径方向で外側に凸となった凸段差部２７が設けられ、スリット部５ｅおよびブリッジ部５ｆは、キャップ５が口首部４に取り付けられた状態で凸段差部２７より下側に位置するように構成されている。【選択図】図７
2019182443.tif 000002
【特許請求の範囲】
【請求項１】
上端部が開口している口首部の外周壁部に、前記上端部を閉じるキャップを螺合させる雄ネジ部と、前記雄ネジ部より下側の凸ビード部とが形成され、
前記キャップは、前記凸ビード部を包み込むように成形されて前記凸ビード部に対して抜け止めした状態で係合するバンド部と、前記バンド部を切り離すための前記キャップの円周方向に沿う複数のスリット部および前記スリット部同士の間の部分であるブリッジ部とを有する、キャップ付きボトル型缶において、
前記凸ビード部は、最大外径部と、前記口首部の中心軸線に沿う上下方向で前記最大外径部の上側に続きかつ外径が次第に小さくなる上側傾斜面と、前記口首部の中心軸線に沿う上下方向で前記最大外径部の下側に続きかつ外径が次第に小さくなる下側傾斜面とを有するとともに、前記上側傾斜面の前記中心軸線に対する傾斜角度が前記下側傾斜面の前記中心軸線に対する傾斜角度より小さくなっており、
前記雄ネジ部は、前記凸ビード部側の端部に溝深さが前記雄ネジ部の平均溝深さより浅くかつ少なくとも一部が前記上側傾斜面に相当する位置に形成されている不完全ネジ部を有し、
前記不完全ネジ部のネジ溝における前記凸ビード部側の下側溝側壁の前記中心軸線に対する角度が前記上側傾斜面の前記中心軸線に対する傾斜角度より大きくなっていて前記下側溝側壁と前記上側傾斜面との間に前記口首部の半径方向で外側に凸となった凸段差部が設けられ、
前記スリット部および前記ブリッジ部は、前記キャップが前記口首部に取り付けられた状態で前記凸段差部より下側に位置するように構成されている
ことを特徴とするキャップ付きボトル型缶。
【請求項２】
請求項１に記載のキャップ付きボトル型缶において、
前記不完全ネジ部の前記口首部の円周方向での長さは、前記口首部の中心と前記不完全ネジ部の両端部とを結んだ線の開き角度が５０度以上となる長さであることを特徴とするキャップ付きボトル型缶。
【請求項３】
請求項１または２に記載のキャップ付きボトル型缶において、
前記凸段差部の外径は、前記凸ビード部の最大外径より小さく、かつ前記雄ネジ部の不完全ネジ部のネジ溝底部の外径より大きいことを特徴とするキャップ付きボトル型缶。
【請求項４】
請求項１ないし３のいずれか一項に記載のキャップ付きボトル型缶において、
前記凸段差部の外径は、前記凸ビード部の最大外径より小さく、かつ前記雄ネジ部の外径より大きいことを特徴とするキャップ付きボトル型缶。
【発明の詳細な説明】
【技術分野】
【０００１】
本発明は、キャップによって再封止が可能なボトル型缶に関し、特にネジによってキャップを取り付けるように構成され、かつそのキャップがピルファープルーフバンドを備えているボトル型缶に関するものである。
【背景技術】
【０００２】
この種のボトル型缶では、ロールオンキャッピングと称される手法によってキャップがボトル型缶の口首部に取り付けられている。その口首部の上端部は、開口端縁を外側に巻き返したカール部とされ、その下側には螺旋状に凹溝（凸条）を成形することによりネジ部が形成されている。そのネジ部の下側には凸ビード部が形成されている。キャップは、上記の口首部に被せた粗形材に、カール部やネジ部さらには凸ビード部に倣うように成形加工を施して口首部に取り付けられる。その粗形材は、口首部におけるカール部に密着させられるシール材（ライナー）が内面に設けられた天板部と、円筒状のスカート部とから構成されている。スカート部は、口首部におけるネジ部に押し付けられて雌ネジ部が形成される部分と、それより下側で前記凸ビード部を下側から包み込むようにカシメられるピルファープルーフバンド（以下、ＰＰバンドと記す）とに分けることができ、それらのＰＰバンドを切り離すための易破断部として、円周方向に沿って形成されたスリット部の間の部分であるブリッジ部が設けられている。
【０００３】
ブリッジ部は、キャップを口首部から取り外す開栓時には容易に破断し、上記の粗形材を口首部に取り付ける際には破断したり変形したりしないことが必要である。従来、キャッピング時にブリッジ部が破断することを防止するための種々の工夫が成されており、例えば特許文献１には、ＰＰバンドの部分のカシメに先行してネジ成形を行うことにより、ＰＰバンドの部分の絞り成形の際の材料の延び、あるいはブリッジ部の引っ張りを許容もしくは緩和し、これによりブリッジ部の破断を防止する発明が記載されている。
【０００４】
また、ＰＰバンドの部分が口首部における凸ビード部を包み込むようにカシメる場合、凸ビード部の寸法や凸ビード部の下側の傾斜面の角度などがブリッジ部に掛かる応力に影響し、破断の原因となる。そこで、特許文献２に記載された発明では、口首部におけるカール部の成形と同時もしくはその後に、スカート部（凸ビード部）の下部傾斜面を再成形することとしている。さらに、特許文献３には、口首部におけるスカート部（凸ビード部）の形状を矯正するための凹部をスカート部の周方向に連続して、もしくは断続的に形成することが記載されている。特許文献３に記載された発明は、ＰＰバンドによって包み込むように半径方向で外側に突出させるスカート部（凸ビード部）の下側の傾斜面の角度が、ネジ部と凸ビード部との距離の長短によって変化し、その距離が長い箇所ではその傾斜角度がダレることに着目し、半径方向で内側に窪んだ凹部をスカート部に形成することにより、傾斜角度のダレを回避もしくは抑制できる、とされている。
【先行技術文献】
【特許文献】
【０００５】
【特許文献１】特許第４０２５５３５号公報
【特許文献２】特許第２７４４２４３号公報
【特許文献３】特許第４６６７８５４号公報
【発明の概要】
【発明が解決しようとする課題】
【０００６】
ボトル型缶の口首部（口金部）にキャップを取り付ける方法として上述したロールオンキャッピングの方法が広く一般に行われている。その方法では、粗形材の円筒状の部分（スカート部）にその半径方向での外側からネジ成形ローラを押し当て、そのネジ成形ローラを粗形材の外周側で旋回させることにより口首部に形成されているネジ溝（以下、雄ネジ溝と記す）に沿ってネジ成形ローラを移動させる。粗形材の円筒部分には、口首部における雄ネジ溝に沿った螺旋溝がそのネジ成形ローラによって形成される。したがって、口首部に形成されている雄ネジ溝はネジ成形ローラのガイド溝として機能し、またネジ成形ローラはガイド溝である雄ネジ溝に追従して回転しつつ口首部の中心軸線方向に移動できるようにある程度の自由度をもって保持されている。そのため、雄ネジ溝の形状に不具合があれば、ネジ成形ローラの挙動に異常を来し、これが原因でＰＰバンドのためのブリッジ部の破断やスリット部の捲れが生じることがある。
【０００７】
雄ネジ溝の不具合の一例は、雄ネジ溝のうちの下端側（凸ビード部側）における不完全ネジ部の溝形状の不具合であり、その例を図１０に示してある。凸ビード部５０は、最大外径部５１と、その上側の傾斜面５２と、下側の傾斜面５３とによって構成されており、図示の例ではこれらの各傾斜面５２，５３が共にテーパー状に形成され、かつ上側傾斜面５２のテーパー角度が下側傾斜面５３のテーパー角度より小さくなっている。これらの部分は、鏑（かぶら）に類似した形状となっているので、カブラ部と称されることがある。
【０００８】
ネジ部５４のうちの有効ネジ部５５のネジ溝は、口首部５６の中心軸線を通る平面に沿う断面の形状がネジ溝の中心に対して左右（上下）で対称となる溝になっている。これに対して、有効ネジ部５５に繋がっている下端側の不完全ネジ部５７は、カブラ部５０における上側傾斜面５２に到っていて当該上側傾斜面５２の一部に形成されている。そして、この不完全ネジ部５７のネジ溝の深さは、有効ネジ部５５のネジ溝の深さより浅くなっている。そのため、不完全ネジ部５７のネジ溝を構成している側壁面のうち下側（カブラ部側）の側壁面は、カブラ部における上側傾斜面５２に繋がってその上側傾斜面５２の一部になってしまっている。したがって不完全ネジ部５７におけるネジ溝の断面形状は、ネジ溝の中心についての左右（上下）での対称性が崩れている。
【０００９】
一方、ネジ成形ローラ６０は外周部分をネジ溝に差し込んでネジ溝（雌ネジとしてのネジ山）を形成するように構成されているから、その断面形状は、有効ネジ部５５の断面形状と同様に厚さ方向での中心について左右（上下）で対称となる形状になっている。したがって、このネジ成形ローラ６０によって上記の不完全ネジ部５７に即したネジ溝を成形する場合、図１０の上下方向で対称性のないネジ溝に粗形材６１における円筒状のスカート部６２を押し込んでネジ成形を行うことになる。すなわち、スカート部６２に形成する螺旋溝の溝壁面のうち図１０での上側の溝壁面は、有効ネジ部５５の溝壁に押し付けられてその溝壁に沿った形状になる。しかしながら、下側の溝壁面側には、当該側壁部分に相当する部分をネジ成形ローラ６０との間に挟み付ける部分が口首部５６側に存在しないために（スカート部６２の内側に空間が空いているために）、ＰＰバンド５ｃ側の部分を引き上げる応力が大きくなって、スリット部６３が図１０に示すように捲れ上がってしまうことがある。
【００１０】
また、不完全ネジ部５７では、ネジ成形ローラ６０に対する図１０での上下方向における反力がバランスしなくなる。ネジ成形ローラ６０は上述したようにある程度の自由度があるから、反力がバランスしなければ、何らかの一時的な外力もしくは抵抗力などが契機となってネジ成形ローラ６０が予期しない挙動を起こし、本来のネジ溝の方向から外れることがある。特に図１０に示すように下側からの反力が小さくなるから、ネジ成形ローラ６０が本来の軌道から下側にずれてしまい、その結果、ネジ成形ローラ６０がスリット部６３に干渉してスリット部６３を変形させたり、あるいはスリット部６３同士の間の部分であるブリッジ部（図示せず）を破断させてしまうなどの可能性がある。
【００１１】
このように、ブリッジ部の破断やスリット部の捲れなどは、カブラ部の形状や寸法精度が原因となって生じるだけでなく、キャッピングの際のネジ成形ローラやこれをガイドする口首部のネジ溝の形状などが原因となることがある。しかしながら、上述した各特許文献には、凸ビード部（カブラ部）の成形順序やその形状・寸法の精度について開示されているものの、ネジ成形ローラや口首部の雄ネジ溝が要因となる技術的課題やその課題の解決のための技術事項は一切開示されていない。また、各特許文献にネジ溝の断面形状や口首部におけるスカート部（凸ビード部）の形状が図示されているが、ネジ部の下端側の不完全ネジ部におけるネジ溝や、その不完全ネジ部の下側の側壁面とネジ部の下側に続く凸ビード部のいわゆる上側傾斜面との関係を明示する記載は、各特許文献にはない。
【００１２】
本発明は上記の技術的課題に着目してなされたものであって、キャッピングの過程でＰＰバンドのためのスリット部やブリッジ部が損傷することを回避もしくは抑制することのできるキャップ付きボトル型缶を提供することを目的とするものである。
【課題を解決するための手段】
【００１３】
本発明は、上記の目的を達成するために、上端部が開口している口首部の外周壁部に、前記上端部を閉じるキャップを螺合させる雄ネジ部と、前記雄ネジ部より下側の凸ビード部とが形成され、前記キャップは、前記凸ビード部を包み込むように成形されて前記凸ビード部に対して抜け止めした状態で係合するバンド部と、前記バンド部を切り離すための前記キャップの円周方向に沿う複数のスリット部および前記スリット部同士の間の部分であるブリッジ部とを有する、キャップ付きボトル型缶において、前記凸ビード部は、最大外径部と、前記口首部の中心軸線に沿う上下方向で前記最大外径部の上側に続きかつ外径が次第に小さくなる上側傾斜面と、前記口首部の中心軸線に沿う上下方向で前記最大外径部の下側に続きかつ外径が次第に小さくなる下側傾斜面とを有するとともに、前記上側傾斜面の前記中心軸線に対する傾斜角度が前記下側傾斜面の前記中心軸線に対する傾斜角度より小さくなっており、前記雄ネジ部は、前記凸ビード部側の端部に溝深さが前記雄ネジ部の平均溝深さより浅くかつ少なくとも一部が前記上側傾斜面に相当する位置に形成されている不完全ネジ部を有し、前記不完全ネジ部のネジ溝における前記凸ビード部側の下側溝側壁の前記中心軸線に対する角度が前記上側傾斜面の前記中心軸線に対する傾斜角度より大きくなっていて前記下側溝側壁と前記上側傾斜面との間に前記口首部の半径方向で外側に凸となった凸段差部が設けられ、前記スリット部および前記ブリッジ部は、前記キャップが前記口首部に取り付けられた状態で前記凸段差部より下側に位置するように構成されていることを特徴としている。
【００１４】
本発明における前記不完全ネジ部の前記口首部の円周方向での長さは、前記口首部の中心と前記不完全ネジ部の両端部とを結んだ線の開き角度が５０度以上となる長さであってよい。
【００１５】
また、本発明においては、前記凸段差部の外径は、前記凸ビード部の最大外径より小さく、かつ前記雄ネジ部の不完全ネジ部のネジ溝底部の外径より大きくてよい。
【００１６】
さらに、本発明においては、前記凸段差部の外径は、前記凸ビード部の最大外径より小さく、かつ前記雄ネジ部の外径より大きくてよい。
【発明の効果】
【００１７】
本発明のボトル型缶の口首部には雄ネジ部とその下側に位置する凸ビード部とが形成されている。その雄ネジ部における下側の不完全ネジ部の少なくとも一部は、凸ビード部を構成している上側傾斜面に掛かっており、またその溝深さは雄ネジ部の平均溝深さより浅くなっている。その不完全ネジ部と凸ビード部との間には、凸段差部が形成されている。この凸段差部は、不完全ネジ部における下側溝側壁と凸ビード部における上側傾斜面との境界部分であり、不完全ネジ部における下側溝側壁の傾斜角度（口首部の中心軸線に対する角度）が凸ビード部における上側傾斜面の傾斜角度（口首部の中心軸線に対する角度）より大きくなっていることにより形成されている段差部分である。その下側溝側壁の傾斜角度が大きくなっていることにより不完全ネジ部であっても左右両側（上下両側）に溝側壁を有するしっかりしたネジ溝になっているので、キャップのスカート部はネジ成形ローラとそのねじ溝との間に挟み込まれてネジ成形される。すなわち、ロールオンキャッピングの際に、下側溝側壁に対向する部分が、口首部の半径方向で内側に過度に押し込まれることがない。そのため、スリット部を捲れ上がらせるように作用する応力が小さくなり、その結果、スリット部の捲れやブリッジ部の破断を回避もしくは抑制することができる。また、下側溝側壁の傾斜角度が大きいことにより、不完全ネジ部においてもネジ成形ローラをネジ溝内にガイドする反力がネジ成形ローラを挟んだ両側でほぼ均等に生じる。そのため、ネジ成形ローラがネジ溝から外れてスリット部やブリッジ部に干渉することがなく、この点においてもスリット部の捲れやブリッジ部の破断を回避もしくは抑制することができる。
【００１８】
また、本発明では、上記の不完全ネジ部の長さが、口首部のいわゆる中心角度で５０度以上になっているので、不完全ネジ部を成形することに伴う材料の移動（もしくは引き込み）が広い範囲に分散する。そのため、ネジ成形時の材料の拘束が弱い凸ビード部側での材料の移動（引き込み）が局部に集中しないので、不完全ネジ部における上述した下側溝側壁を確実に形成することができる。
【図面の簡単な説明】
【００１９】
【図１】本発明の実施形態で対象とするボトル型缶の口首部側の部分を示す正面図である。
【図２】その口首部にキャップを取り付けた状態を示す部分的な正面図である。
【図３】ボトル型缶の製造工程のうち缶胴を成形する過程を示す模式図である。
【図４】ボトル型缶の製造工程のうち肩部や小径円筒部を成形する過程を示す模式図である。
【図５】トリミングからカーリングならびにビード成形の過程を示す模式図である。
【図６】（ａ）は小径円筒部、（ｂ）はネジ成形後の口首部、（ｃ）はビード成形後の口首部をそれぞれ示す部分的な正面図である。
【図７】本発明に係るボトル型缶のカブラ部ならびに不完全ネジ部の形状を示す部分的な拡大図である。
【図８】従来のボトル型缶のカブラ部ならびに不完全ネジ部の形状を示す部分的な拡大図である。
【図９】本発明に係るボトル型缶の口首部にキャップを取り付けている状態を模式的に示す部分的な拡大図である。
【図１０】従来のボトル型缶の口首部にキャップを取り付けている状態を模式的に示す部分的な拡大図である。
【発明を実施するための形態】
【００２０】
本発明に係るボトル型缶は、アルミニウム板や樹脂被覆アルミニウム板などの金属板を素材とした金属製の缶であって、その一例を図１および図２に示してある。ここに示すボトル型缶１は、いわゆる本体部分に相当する缶胴２の上端側に肩部３を介して、内径の小さい円筒状の口首部４を一体に形成して構成されている。なお、底部は、図示しない底蓋を巻き締めることにより閉じられている。また、薄板金属板を絞り・しごき加工して缶胴２を形成する際に生じる閉じた端部を底部としてもよく、その場合は開口端部を徐々に縮径加工して肩部３や口首部４を形成することになる。
【００２１】
口首部４の先端部が、いわゆる飲み口あるいは注出口となるように開口しており、その開口部は、口首部４にキャップ５を取り付けることにより密封される。口首部４の開口端は、鋭利なエッヂが露出しないように外側に曲げ返したカール部６となっている。なお、カール部６は、断面が円形もしくは楕円形となる中空状に形成されていてもよく、あるいは二層もしくは三層になるようにハゼ折りして形成された部分であってもよい。キャップ５は前記開口端を再封止できるようにするためにネジによって口首部４に取り付けられる。そのため、口首部４には雄ネジ部７が設けられる。
【００２２】
キャップ５は、天板部５ａと円筒状のスカート部５ｂとを有する粗形材を口首部４に被せ、その状態でコーナー部（天板部５ａの周辺部分）をカシメるとともに、スカート部５ｂに図示しないネジ成形ローラを押し当てて、雄ネジ部７に沿った凹溝加工を行って雌ネジ部を形成し、その雌ネジ部によって口首部４にネジ止めされる。また、キャップ５の内面（天板部５ａの内面）にはシール材であるライナー（図１および図２には図示せず）が設けられている。ライナーは、弾性のある合成樹脂から成り、天板部５ａの内面（特にその周辺部分）に塗り付けて天板部５ａに取り付けられている。したがって、粗形材のコーナー部をカシメることにより、ライナーがカール部６に押し付けられて密着し、口首部４の開口端を密封する。
【００２３】
また、キャップ５は、そのスカート部５ｂの下端部に、本発明のバンド部に相当するピルファープルーフバンド（ＰＰバンド）５ｃを有している。キャップ５の下端からＰＰバンド５ｃの幅に相当する寸法だけ上側の部分に、全周に亘る凸条５ｄが形成されており、その凸条５ｄの幅方向（図１および図２の上下方向）での中央部に、複数のスリット部５ｅが円周方向に沿って形成されている。これらのスリット部５ｅの間の部分がブリッジ部５ｆとなっている。なお、ここで説明している例では、８本のスリット部５ｅおよびブリッジ部５ｆが形成されている。
【００２４】
そのピルファープルーフバンド５ｃを引っ掛けておくために環状の凸条部（もしくは凸ビード部）８が雄ネジ部７より下側に設けられている。なお、凸ビード部８とその下側の凹溝９とを併せてカブラ部１０と称することがある。
【００２５】
上記のボトル型缶１の缶胴２の製造工程を説明すると、図３は中間品を成形する工程を示しており、薄い金属板であるブランク２１を用意し、そのブランク２１を絞り加工によって浅いカップ２２に成形する。ついで、当該カップ２２に更に絞り加工やしごき加工を施して、底のある円筒体２３を成形する。その円筒体２３の底部２４の中央部を、図４に示すように、絞り加工あるいはしごき加工によって引き延ばしつつコーナー部を次第に絞って肩部２５を成形し、併せて小径円筒部２６を成形する。
【００２６】
小径円筒部２６はボトル型缶１の口首部４となる部分であって、キャッピングやタンパーエビデンスなどの各種の機能を持たせるための加工が施される。図５はその加工工程を模式的に示しており、小径円筒部２６の先端部を飲み口もしくは注ぎ口とするために、先ず、小径円筒部２６の先端部を切除（トリミング）して開口させる。切断して生じた鋭利なエッヂを外部に露出させないようにカーリングを行う。カーリングは、切断端を外側に巻き返して断面が円形をなすカーリング部を形成し、あるいは例えば三層にハゼ折りする加工であり、複数の工程で行われる。図５に示す例では、四工程でカーリングを行うようになっており、第１工程（１ｓｔカーリング）では、切断端の先端部を外側にフランジ状に湾曲させ、第２工程（２ｎｄカーリング）では、そのフランジ状に湾曲させた部分を更に外側に湾曲させて二つ折りした状態に成形する。第３工程（３ｒｄカーリング）では、その二つ折りした部分がフランジとなるように切断端を湾曲させ、第４工程（４ｔｈカーリング）では、第３工程で成形したフランジ状の部分の先端が小径円筒部２６の半径方向で外側から内側に巻き込むように（いわゆるカールするように）成形する。
【００２７】
これら複数の工程で行われるカーリングの過程でネジ成形が行われる。また、そのネジ成形の後（例えばカーリングの最終工程の後）にタンパーエビデンス機能のためのビード成形が行われる。言い換えれば、ネジ成形の後に、カーリング工程を終了させ、またビード成形を行う。
【００２８】
上述した製造過程における小径円筒部２６および口首部４の形状の変化を図６に示してある。図６の（ａ）はトリミングの直前の状態であり、小径円筒部２６には、肩部３側から上側に順に首部円筒部２６ａ、縮径変遷部２６ｂ、ネジ部円筒部２６ｃ、縮径湾曲部２６ｄ、カール部円筒部２６ｅが形成されている。なお、この小径円筒部２６は、上述したように中間品の底板に相当する部分を絞り加工やしごき加工によって成形するとすれば、その肉厚が肩部３（２５）より厚くなる。また、中間品の開口端部を縮径加工して小径円筒部２６を成形する場合には、その肉厚は肩部３（２５）と同等もしくは厚くなる。
【００２９】
首部円筒部２６ａは、カブラ部１０とされる部分であり、小径円筒部２６のうちで外径が最も大きくなっている。その上側に続く縮径変遷部２６ｂは、ネジ部円筒部２６ｃに向けて外径が次第に小さくなる部分である。ネジ部円筒部２６ｃは、雄ネジ部７を形成するための部分であり、首部円筒部２６ａよりわずかに小径の円筒状に形成され、その長さ（軸線方向での長さ）は、雄ネジ部７の有効ネジを設けるのに十分な長さとなっている。さらに、縮径湾曲部２６ｄは、ネジ部円筒部２６ｃとそのネジ部円筒部２６ｃより小径のカール部円筒部２６ｅとを繋いでいるテーパー状の部分である。そして、カール部円筒部２６ｅは、カール部６における内側の円筒状の部分であり、その径がボトル型缶１の開口径となる。
【００３０】
図６の（ｂ）はカーリングの最終工程の後における口首部４を示しており、カール部円筒部２６ｅの先端が切除（トリミング）されて開口し、そのエッヂ部が外側に巻き返されてカール部６となっている。その下側に縮径湾曲部２６ｄを介して繋がっているネジ部円筒部２６ｃにはネジ成形が施されて雄ネジ部７が形成されている。そのネジ成形は、従来知られている装置あるいは方法で行うことができ、例えば外周面に凹凸部が形成されたインナーツールとその凹凸部に噛み合う凹凸部を有するアウターツール（それぞれ図示せず）とによってネジ部円筒部２６ｃを挟み込んで転動させ、それらの凹凸部をネジ部円筒部２６ｃに螺旋溝もしくは螺旋状の凸条として転写し、雄ネジ部７を形成する。
【００３１】
その雄ネジ部７の開始端側（上端側）および終了端側（下端側）には、不完全ネジ部７ａが形成されている。不完全ネジ部７ａはネジ溝の深さｈaが雄ネジ部７における有効ネジ部の平均値（平均溝深さ）ｈより小さい部分である。これらの不完全ネジ部７ａを含む雄ネジ部７の加工は、前述した縮径変遷部２６ｂにまで及んでおり、したがって下端側（縮径変遷部２６ｂ側）の不完全ネジ部７ａの少なくとも一部は、縮径変遷部２６ｂに掛かって縮径変遷部２６ｂに形成されている。この不完全ネジ部７ａの長さ（口首部４の円周方向での長さ）は、不完全ねじ部７ａの溝深さが一次関数的（直線的）に変化するとし、そのネジ溝深さが前記平均値の半分（ｈ／２）の箇所と口首部４の中心Ｏとを結んだ線と、ネジ溝深さが前記平均値の四分の一（ｈ／４）の箇所と口首部４の中心Ｏとを結んだ線との開き角度θ（いわゆる中心角）が少なくとも５０度（５０度以上）となる長さになっている。
【００３２】
図６の（ｃ）にはビード成形後の口首部４の形状を示してある。ビード成形は、上述したカブラ部１０を首部円筒部２６ａに形成する成形加工であり、従来知られている装置もしくは方法でその加工を行うことができる。例えば、カブラ部１０の形状に対応した成形面を有するインナーツールとアウターツール（それぞれ図示せず）とによって首部円筒部２６ａの所定箇所を挟み込んで回転させることにより、それらのツールの成形面の形状を首部円筒部２６ａに転写してカブラ部１０を形成する。
【００３３】
本発明に係るボトル型缶１におけるカブラ部１０の形状を図７に示してある。図７には、カブラ部１０のうち前述した不完全ネジ部７ａの下側に繋がっている部分の形状の一例を示してあり、前述した首部円筒部２６ａと縮径変遷部２６ｂとの境界部分が、凸ビード部８の最大外径部８ａに相当している。当該境界部分が最大外径部８ａとなるようにその下側の部分が口首部４の半径方向で内側に絞り込まれて凹溝９が形成されている。そのビード成形の際には、凹溝９の加工が主として行われ、最大外径部８ａは首部円筒部２６ａの外径に維持され、外側に凸とするとしてもその量はわずかである。したがって最大外径部８ａから上側に続く上側傾斜面８ｂは前述した縮径変遷部２６ｂであったテーパー面の一部が残っている面であり、その傾斜角度（口首部４の中心軸線Ｌｃに対する角度：テーパー角度の半分の角度）θuは２度〜１０度になっている。これに対して、凹溝９を形成することにより生じた、最大外径部８ａの下側に続く下側傾斜面８ｃは、下側で外径が次第に小さくなるテーパー状の面であり、その傾斜角度（口首部４の中心軸線Ｌｃに対する角度：テーパー角度の半分の角度）θlは、上側傾斜面８ｂの傾斜角度θuより大きくなっており、例えば４５度程度の角度になっている。なお、最大外径部８ａの表面は、口首部４の中心軸線Ｌｃを含む面で切断した場合の断面形状が所定の半径の円弧面となる滑らかな面になっている。
【００３４】
一方、不完全ネジ部７ａのネジ溝の少なくとも一部は、前述した縮径変遷部２６ｂの一部を口首部４の内側に絞り込んで形成されている。したがって縮径変遷部２６ｂのテーパー面の一部が、そのネジ溝の下側溝側壁７a1となっているので、その下側溝側壁７a1の傾斜角度（前記中心軸線Ｌcに対する角度）θgは、縮径変遷部２６ｂの傾斜角度（前記上側傾斜面８ｂの傾斜角度θu）より大きくなっている。言い換えれば、ネジ溝の下側溝側壁７a1と上側溝側壁７a2とは、上下方向でほぼ対象に開くように傾斜しており、不完全ネジ部７ａのネジ溝は、有効ネジ部の溝深さの平均値ｈよりも浅い溝深さｈaであっても、両側壁をもったしっかりとした溝となっている。そのため、不完全ネジ部７ａの長さ方向での中間部における溝幅Ｐkは雄ネジ部７のピッチＰの０．９〜１．１倍になっている。ここで溝幅Ｐkは、当該中間部においてそのネジ溝の底部からの高さが最も高い位置での幅であり、言い換えれば有効ネジ部のネジ山の頂部の外径位置で測った溝幅である。また、その溝幅Ｐkが有効ネジ部のピッチＰから大きい方に、あるいは小さい方にずれることがあるのは、下側溝側壁７a1が縮径変遷部２６ｂに掛かって形成されることが要因と思われる。
【００３５】
不完全ネジ部７ａの少なくとも一部が縮径変遷部２６ｂに掛かっていてその下側溝側壁７a1が前述した上側傾斜面８ｂの一部を加工して形成されている面であることにより、下側溝側壁７a1の中心軸線Ｌｃに対する角度θgと上側傾斜面８ｂの中心軸線Ｌｃに対する傾斜角度θuとが異なっている。そのため、前記中心軸線Ｌｃに沿う方向において、これら下側溝側壁７a1と上側傾斜面８ｂとの間に凸段差部２７が形成されている。この凸段差部２７は、最大外径部８ａより外径が小さくかつ不完全ネジ部７ａのネジ溝底部の外径（あるいは雄ネジ部７の外径）より大きい外径の部分である。例えば口首部４を中心軸線Ｌｃを含む平面で縦断した場合の凸段差部２７の断面形状は、不完全ネジ部７ａにおけるネジ溝の底部と最大外径部８ａの頂部とを結んだ直線Ｌxより半径方向で外側に凸となっている。
【００３６】
比較のために従来のカブラ部およびその近辺の構造の一例を図８に示してある。従来では、縮径変遷部２６ｂに掛かる不完全ネジ部７ａについて特別な加工を行っておらず、あるいは特別な形状もしくは部分を設けていないので、不完全ネジ部７ａにおける下側溝側壁７a1が最大外径部８ａに直線的に（断面形状として直線的に）繋がった面となり、その傾斜角度（中心軸線Ｌｃに対する角度）θxが大きくなっている。すなわち下側溝側壁７a1が上記の直線Ｌxにほぼ沿ったいわゆる下側にダレた形状になり、上側溝側壁７a2との対称性が崩れていてネジ溝として不完全なものとなっている。
【００３７】
上述した構成の口首部４を有する本発明に係るボトル型缶１においてもキャッピングは従来と同様にして行う。すなわち、ライナーが内面に設けられた天板部と円筒状のスカート部とからなるキャップ粗形材を口首部４に被せ、その粗形材を成形して口首部４にネジ止めする。図９はキャップ５についてのネジ成形の最終段階を示しており、キャップ５のスカート部はネジ成形ローラ３０によって口首部４の雄ネジ部７に押圧され、雄ネジ部７のネジ溝に沿って変形させられてキャップの内側に向けて凸となる螺旋状の凸部が成形される。このような状況は下端側の不完全ネジ部７ａにおいても同様であり、キャップ５のスカート部がネジ成形ローラ３０によって不完全ネジ部７ａに押し込まれて不完全ネジ部７ａにネジ嵌合する凸条が成形される。また、天板部５ａの周辺部分は、プレッシャーブロック３１によってカシメられ、その内面に設けられているライナー３２がカール部６に密着させられる。ネジ成形はこのようにプレッシャーブロック３１がキャップ５を口首部４に対して押圧している状態で行われる。さらに、ＰＰバンド５ｃの下端部は、カシメローラ３３によってカブラ部１０における下側傾斜面８ｃに密着するようにカシメられる。このようにして口首部４に取り付けられたキャップ５のスリット部５ｅおよびブリッジ部５ｆは、カブラ部１０における上側傾斜面８ｂに対向する位置、すなわち凸段差部２７より下側に位置している。
【００３８】
不完全ネジ部７ａに相当する箇所のネジ成形を行う場合、その不完全ネジ部７ａの溝深さが浅いとしても、前記凸段差部２７を設けたことにより下側溝側壁７a1が上側溝側壁７a2といわゆる対称性のある側壁になっているから、ネジ成形ローラ３０はこれらの溝側壁７a1，７a2からほぼ均等の反力を受けて不完全ネジ部７ａのネジ溝の内部に収まり、そのネジ溝に沿ってネジ成形する。したがって、ネジ成形ローラ３０がネジ溝から外れてスリット部５ｅやブリッジ部５ｆに干渉して、これらを損傷することが回避もしくは抑制される。また、不完全ネジ部７ａにおけるネジ成形は、対称性のある上側溝側壁７a2と下側溝側壁７a1とにキャップ５のスカート部を押し付けて行い、その成形荷重は、対称性のある上側溝側壁７a2と下側溝側壁７a1とでほぼ均等に受ける。そのため、キャップ５のスカート部のうちスリット部５ｅやブリッジ部５ｆに繋がっている部分に過度な応力が掛かることがなく、この点でもスリット部５ｅに捲れが生じたり、ブリッジ部５ｆが破断したりする損傷が回避もしくは抑制される。さらに、本発明に係る上記のボトル型缶１では、スリット部５ｅやブリッジ部５ｆの損傷を避けるためにカブラ部１０と雄ネジ部７とを口首部４の中心軸線方向に離隔させる必要がない。そのため、口首部４の全長を短くでき、それに伴って材料の必要量を少なくして省資源化に資することができる。
【符号の説明】
【００３９】
１…ボトル型缶、  ２…缶胴、  ３…肩部、  ４…口首部、  ５…キャップ、  ５ａ…天板部、  ５ｂ…スカート部、  ５ｃ…ピルファープルーフバンド、  ５ｄ…凸条、  ５ｅ…スリット部、  ５ｆ…ブリッジ部、  ６…カール部、  ７…雄ネジ部、  ７a1…下側溝側壁、  ７a2…上側溝側壁、  ７ａ…不完全ネジ部、  ８…凸ビード部、  ８ａ…最大外径部、  ８ｂ…上側傾斜面、  ８ｃ…下側傾斜面、  ９…凹溝、  １０…カブラ部、  ２６…小径円筒部、  ２６ａ…首部円筒部、  ２６ｂ…縮径変遷部、  ２６ｃ…ネジ部円筒部、  ２６ｄ…縮径湾曲部、  ２６ｅ…カール部円筒部、  ２７…凸段差部、  ３０…ネジ成形ローラ、  ３３…カシメローラ、  θ，θl，θg，θu…角度、  Ｌｃ…中心軸線、  Ｏ…中心  ｈ…（ネジ溝深さの）平均値、  ｈa…（不完全ネジ部の）溝深さ。
【図１】
2019182443.tif 000003
【図２】
2019182443.tif 000004
【図３】
2019182443.tif 000005
【図４】
2019182443.tif 000006
【図５】
2019182443.tif 000007
【図６】
2019182443.tif 000008
【図７】
2019182443.tif 000009
【図８】
2019182443.tif 000010
【図９】
2019182443.tif 000011
【図１０】
2019182443.tif 000012